(57)【要約】【課題】単に目覚まし機能のみでなく、多数の機器の１つ以上を任意に設定した時刻に起動できるようにするとともに、気象情報をＢＳ放送、ＦＭ放送、天気センサのいずれによっても取得できるようにすること。【解決手段】気象情報選択受信部９と、気象判断部１４と、各外部機器の制御手段を有する外部機器選択制御部２０と、気象情報の選択と外部機器の選択と外部機器の気象条件に応じた動作時刻とを設定する設定部１と、全体を制御する制御部５とから成り、設定部１により設定された気象に応じた動作時刻から、気象判断部１４からの予測気象に見合う気象条件の動作時刻を選択し、選択した動作時刻が現在時刻と一致したときの制御部５からの出力信号により外部機器選択制御部２０の選択した外部機器の制御手段を制御することにより、選択した外部機器を起動するようにした。【選択図】        図１
2005003490.tif 000002
【特許請求の範囲】
【請求項１】
気象情報選択受信部と、気象判断部と、各外部機器の制御手段を有する外部機器選択制御部と、気象情報の選択と外部機器の選択と外部機器の気象条件に応じた動作時刻とを設定する設定部と、時計回路部と、全体を制御する制御部とから成り、設定部により設定された気象に応じた動作時刻から、気象判断部からの予測気象に見合う気象条件の動作時刻を選択し、選択した動作時刻が現在時刻と一致したときの制御部からの出力信号により外部機器選択制御部の選択した外部機器の制御手段を制御することにより、選択した外部機器を起動するようにした、
ことを特徴とする気象情報等に応じた機器の作動時間制御システム。
【請求項２】
上記の設定部が、時間、時刻、気象情報の選択、外部機器の選択等の各設定操作を行なう設定パネル部と設定操作に応じた設定を行なう設定回路部と設定結果を記憶する設定記憶部とを有することを特徴とする請求項１に記載の気象情報等に応じた機器の作動時間制御システム。
【請求項３】
上記の設定部により気象情報の収集時間を設定することを特徴とする請求項１に記載の気象情報等に応じた機器の作動時間制御システム。
【請求項４】
上記の制御部には、動作時刻選択部と時刻一致判別回路部とを含むことを特徴とする請求項１に記載の気象情報等に応じた機器の作動時間制御システム。
【請求項５】
上記の気象情報選択受信部が受信する気象情報が、ＢＳ気象情報、ＦＭ気象情報、天気センサの気象情報であることを特徴とする請求項１に記載の気象情報等に応じた機器の作動時間制御システム。
【請求項６】
上記の外部機器選択制御部が制御する外部機器が、ブザー、ＴＶ、ラジオ、携帯電話であることを特徴とする請求項１に記載の気象情報等に応じた機器の作動時間制御システム。
【発明の詳細な説明】
【０００１】
【発明の属する技術分野】
本発明は、気象情報等に応じた機器の作動時間制御システムに関する。
【０００２】
【従来の技術】
従来、戸外の天気が晴天か雨天かを判別するベランダ等に設置された天気センサと予め晴雨の別に応じた目覚し時刻を設定し、天気センサが判別した天気の晴雨に該当する目覚し時刻の到来と共に警報を発する目覚し時計本体から成る天気センサ付き目覚まし時計が提案されている（例えば、特許文献１参照）。
【０００３】
【特許文献１】
実開平４−４７６９４号公報
【０００４】
【発明が解決しようとする課題】
しかし上記の目覚し時計は目覚まし機能を備えるだけであって、その他の機能はなく、また気象情報はベランダ等に設置した天気センサから取得するのみであって他の気象情報を取得する手段を備えていない。
【０００５】
そこで本発明は、単に目覚まし機能のみでなく、多数の機器の１つ以上を任意に設定した時刻に起動できるようにするとともに、気象情報をＢＳ放送、ＦＭ放送、天気センサのいずれによっても取得できるようにすることを目的とする。
【０００６】
【課題を解決するための手段】
上記目的を達成するために、本発明の気象情報等に応じた機器の作動時間制御システムは、気象情報選択受信部９と、気象判断部１４と、各外部機器の制御手段を有する外部機器選択制御部２０と、気象情報の選択と外部機器の選択と外部機器の気象条件に応じた動作時刻とを設定する設定部１と、時計回路部８と、全体を制御する制御部４とから成り、設定部１により設定された気象に応じた動作時刻から、気象判断部１４からの予測気象に見合う気象条件の動作時刻を選択し、選択した動作時刻が現在時刻と一致したときの制御部５からの出力信号により外部機器選択制御部２０の選択した外部機器の制御手段を制御することにより、選択した外部機器を起動するようにしたことを特徴とする。
【０００７】
また上記の設定部１が、時間、時刻、気象情報の選択、外部機器の選択等の各設定操作を行なう設定パネル部２と設定操作に応じた設定を行なう設定回路部３と設定結果を記憶する設定記憶部３とを有することを特徴とする。
【０００８】
また上記の設定部１により気象情報の収集時間を設定することを特徴とする。さらに上記の制御部５には、動作時刻選択部６と時刻一致判別回路部７とを含むことを特徴とする。
【０００９】
さらに上記の気象情報選択受信部９が受信する気象情報が、ＢＳ気象情報１１、ＦＭ気象情報１２、天気センサの気象情報１３であることを特徴とする。
さらに上記の外部機器選択制御部９が制御する外部機器１５が、ブザー１６、ＴＶ１７、ラジオ１８、携帯電話１８であることを特徴とする。
【００１０】
【発明の実施の形態】
本発明の実施の形態を実施例にもとづき図面を参照して説明する。
図１は本発明の制御システムの機能的構成のブロック図である。
１は設定部、２は設定パネル部で、現在時刻の設定及び「アラーム」、「晴れアラーム」、「雨アラーム」等の動作時刻の設定、気象情報の収集時間の設定、受信する気象情報の選択設定、外部機器の選択設定等の各種の設定操作を行なう。
３は設定回路部で、上記の設定操作に応じた各種の設定を行なう。４は設定記憶部で、設定回路部３で設定した各設定結果を記憶する。
５は全体を制御する制御部で、動作時刻選択部６、時刻一致判別回路部７を含む。８は現在時刻を刻む時計回路部である。
【００１１】
９は気象情報選択受信部、１０は各種の気象情報であり、そのうち１１はＢＳ気象情報、１２はＦＭ気象情報、１３はベランダ等に設置した天気センサの気象情報である。いずれの気象情報を受信するかは、設定パネル部２による設定操作により気象情報選択受信部９を制御して行なう。なお気象情報の選択は１つに限らず、予測判断の精度を挙げるために、複数の気象情報を選択しても良い。
１４は気象判断部で、選択受信した気象情報により、晴、曇り、雨等の予測判断をして、その予測結果を動作時刻選択部６に出力する。
【００１２】
１５は各種の外部機器であり、そのうち１６はブザー、１７はテレビ、１８はラジオ、１９は携帯電話である。２０は外部機器選択制御部で、各外部機器の制御手段を備えており、設定パネル部１における設定操作により制御して、所望の外部機器の対応する制御手段を１つ以上選択可能であり、設定した時刻に時刻一致判別回路部７の出力信号により、選択した外部機器の制御手段を制御して、ブザー１６を鳴らしたり、或いはテレビ１７の電源を入れたり、或いはラジオ１８の電源を入れたり、或いは携帯電話１９をコールしたりするものである。
なお、気象情報の取得、対象とする外部機器は上記のものには限らない。
【００１３】
図２は本発明の制御システムの動作フローチャートである。
ステップＳ２０において処理がスタートし、先ずステップＳ２１において、設定パネル部２により以下の各種の設定操作を行なう。
【００１４】
現在時刻（例えば現在時刻が午後８時であれば、午後８時に設定する。）。外部機器の選択。選択した外部機器の気象情報に応じた動作時刻（例えばブザーを選択した場合、晴天であれば午前７時、雨天であれば午前６時３０分に動作時刻を設定する。）。受信する気象情報の選択。気象情報の収集時間（これは適宜に決めればよいが、例えば上記の場合、午前５時から午前８時に設定する。なお気圧の変化を必要とする場合には、収集開始時刻をもっと早く例えば午前０時に設定する）。
【００１５】
これらの設定操作により、設定回路部３において各種の設定が行なわれ、設定結果は設定記憶部４に記憶される。そして時計回路部８は時刻を刻み始めるが、その他は気象情報の収集時間になるまで待機状態となる。
以後設定した時刻に合わせて本制御システムは以下のように動作する。
【００１６】
ステップＳ２２において、気象情報の収集時間であるか判定され、収集時間であればステップＳ２３において収集が開始される。
ステップＳ２４において気象情報選択受信部９により選択した気象情報が受信され、その情報は気象判断部１４に送られる。
【００１７】
ステップＳ２５において、外部機器の制御に必要な情報が抽出される。
【００１８】
ステップＳ２６において、気象判断部１４により、受信した気象情報に基づいて解析が行なわれて、気象の予測判断（例えば、晴、曇、雨等）が行なわれ、動作時刻選択部６に送られる。
ステップＳ２７において、機器の起動時間、起動方法、作動方法の決定が行なわれる。
【００１９】
ステップＳ２８において、動作時刻の選択が行なわれる。これは気象判断部１４が予測判断した気象情報（例えば雨）が動作時刻選択部６に入力すると、上記のように設定されて設定記憶部４から出力する「アラーム」、「晴れアラーム」、「雨アラー」等の動作時刻のうち、「雨アラーム」の動作時刻（上記の例では、午前６時３０分）が雨に対応した動作時刻であるので、この時刻（午前６時３０分）が選択されて時刻一致判別回路７に出力する。
【００２０】
ステップＳ２９において、選択されたこの時刻が現在時刻と一致するかの判定が時刻一致判別回路７により行なわれ、一致するとステップＳ３０において、一致信号が出力し、外部機器選択制御部２０に入力する。
外部機器選択制御部２０の対応する外部機器（例えばブザー１６）の制御手段がこの信号により制御されて、選択された外部機器に駆動信号を送信して、該外部機器を動作させる（例えばブザー１６を鳴らす）。
【００２１】
ステップＳ３１において、気象情報の収集時間であるか判定され、収集時間でなければ、ステップＳ３２において処理を終了する。
外部機器としてＴＶ１７、ラジオ１８を選択した場合も上記と同様にして、外部機器選択制御部２０の対応する制御手段から出力する駆動信号により、ＴＶ、ラジオの電源を入れて動作させる。
【００２２】
なお携帯電話１９を選択した場合は、上記と同様に本制御システムが動作してゆくが、ステップＳ３０においては、時刻一致判別回路７の出力信号により外部機器選択制御部２０の携帯電話制御手段が制御されて、コール信号を携帯電話１９に送信する。
【００２３】
上記においては気象情報を受信（取得）し、気象情報に応じて外部機器を制御するものとして説明したが、気象情報に限らず、交通情報、或いは環境情報を受信（取得）し、それに応じて外部機器を制御するようにすることも可能である。
【００２４】
【発明の効果】
本発明によれば、単に目覚まし機能のみでなく、多数の機器の１つ以上を任意に設定した時刻に起動できるとともに、気象情報をＢＳ放送、ＦＭ放送、天気センサのいずれによっても取得することができる。
また気象情報の収集時間以外は、時計回路部を除いて、待機状態にあるので、節電効果がある。
【図面の簡単な説明】
【図１】本発明の制御システムの機能的構成のブロック図。
【図２】本発明の制御システムの動作フローチャート。
【符号の説明】
１  設定部
２  設定パネル部
３  設定回路部
４  設定記憶部
５  制御部
６  動作時刻選択部
７  時刻一致判別回路部
８  時計回路部
９  気象情報選択受信部
１０  各種気象情報
１１  ＢＳ気象情報
１２  ＦＭ気象情報
１３  天気センサ気象情報
１４  気象判断部
１５  各種外部機器
１６  ブザー
１７  ＴＶ
１８  ラジオ
１９  携帯電話
２０  外部機器選択制御部
【図１】
2005003490.tif 000003
【図２】
2005003490.tif 000004